Podtech/llm-jp-corpus-v4-ja_patent huggingface dataset:
(57)【特許請求の範囲】
【請求項１】
弾性を有する線材からなるクリップであって、
挟持物を挟持したときに挟持物の縁辺が接する支承折り返し部を２つ有し、
２つの支承折り返し部の一方の側は上面挟持部につながり、
２つの支承折り返し部の他の一方の側は背面挟持部につながっており、
上面挟持部と背面挟持部は対向しており、支承折り返し部から遠い側では交差が可能であって近接するか又は交差しており、
挟持物を挟持しようとするときに挟持物の表面に掛ける凸部である先端部を上面挟持部に有し、
該先端部とは逆方向の凸部であって、挟持物を挟持しようとするときに指先で押さえる凸部である押さえ部を背面挟持部に有し、
挟持物を挟持するときは、前記先端部を挟持物の表面に掛け、前記押さえ部を挟持物の表面から裏面の向きに指先で押さえて、挟持物を挿入する開口部を形成又は拡大して、挟持物を挿入する、
クリップ。
【請求項２】
２つの支承折り返し部が離れており、かつ、背面挟持部につながる部分同士の距離が上面挟持部につながる部分同士の距離よりも小さく、上面挟持部と背面挟持部の交差が可能な形状である、請求項1に記載されたクリップ。
【請求項３】
２つの支承折り返し部が背面挟持部につながる部分で接しており、かつ、上面挟持部につながる部分では離れており、上面挟持部と背面挟持部の交差が可能な形状である、請求項1に記載されたクリップ。
【発明の詳細な説明】
【技術分野】
【０００１】
この発明は、線材を折り曲げ加工したクリップに関する。
【背景技術】
【０００２】
書類を挟持するものとして、略Ｕ字状の上面挟持部と背面挟持部が所定間隔を有する２つの支承折り返し部で連結しているＵ型ゼムクリップなるものが考案されている。（例えば、特許文献1参照。）
【先行技術文献】
【特許文献】
【０００３】
【特許文献１】特開２０１１−１５２８０６号公報
【発明の概要】
【発明が解決しようとする課題】
【０００４】
しかしながら、特許文献１に記載されたクリップは、挟持物を挟持するときに挟持物を挿入する開口部を広げることが困難である。
【０００５】
本発明は、小さい力で挟持物の挿入口を形成又は拡大させることができ、かつ、挟持物を挟持する際の挟持物の掛けしろを十分確保できるクリップを提供することを課題としている。
【課題を解決するための手段】
【０００６】
上記の目的を達成するために、本発明のクリップは、弾性を有する線材からなるクリップであって、挟持物を挟持したときに挟持物の縁辺が接する支承折り返し部を２つ有し、  ２つの支承折り返し部の一方の側は上面挟持部につながり、２つの支承折り返し部の他の一方の側は背面挟持部につながっており、上面挟持部と背面挟持部は対向しており、支承折り返し部から遠い側では交差が可能であって近接するか又は交差しており、挟持物を挟持しようとするときに挟持物の表面に掛ける凸部である先端部を上面挟持部に有し、該先端部とは逆方向の凸部であって、挟持物を挟持しようとするときに指先で押さえる凸部である押さえ部を背面挟持部に有し、挟持物を挟持するときは、前記先端部を挟持物の表面に掛け、前記押さえ部を挟持物の表面から裏面の向きに指先で押さえて、挟持物を挿入する開口部を形成又は拡大して、挟持物を挿入する、構成とした。
【発明の効果】
【０００７】
本発明のクリップは、先端部及び押さえ部を設けることにより、挟持物の挿入口を形成又は拡大させることが容易になる。
【０００８】
クリップの挟持力が低下した場合、交差の角度が大きくなるように力を加えてクリップを変形させることにより、挟持力を回復することが可能である。
【図面の簡単な説明】
【０００９】
【図１】本発明（請求項２）のクリップの実施例の説明図である。
【図２】本発明（請求項３）のクリップの実施例の説明図である。
【図３】特許文献１に記載されたクリップの実施例の斜視図である。
【００１０】
発明を実施するための形態は、図１及び図２のとおりである。
【００１１】
図１のクリップの支承折り返し部４同士を近接させたものが図２のクリップとなる。
【００１２】
支承折り返し部４の背面挟持部３につながる部分同士の距離よりも支承折り返し部４の上面挟持部２につながる部分同士の距離が大きいが、その量は、背面挟持部３と上面挟持部２が抵触せずに交差できる量があればよく、クリップの材料の線材の太さの２倍を超えればよい。
【符号の説明】
【００１３】
１    本発明のクリップ
２    上面挟持部
２ａ  先端部
３    背面挟持部
３ａ  押さえ部
４    支承折り返し部
【図１】
0006478401.tif 000002
【図２】
0006478401.tif 000003
【図３】
0006478401.tif 000004
(57)【特許請求の範囲】
【請求項１】
塩化白金もしくは塩化鉄、又は塩化白金と塩化鉄との混合物を含むシリカゾルを通気性吸水部材又は予め所定の形状に整形された通気性吸水部材に含浸させ、水分を乾燥させた分析装置用シロキサン除去フィルタ。
【請求項２】
塩化白金もしくは塩化鉄、又は塩化白金と塩化鉄との混合物が乾燥シリカに対して１．５〜１２ｗｔ％である請求項１に記載の分析装置用シロキサン除去フィルター。
【発明の詳細な説明】
【技術分野】
【０００１】
本発明は、立体構造を有するシロキサンを吸着除去する分析装置用のフィルターに関する。
【背景技術】
【０００２】
可燃性ガスを検出する場合には接触燃焼式ガスセンサが使用されるが、環境にシリコーンが存在すると、ガスセンサを構成する触媒層に付着して可燃性ガスの検出感度が低下するという問題がある。
【０００３】
このため、特許文献１に見られるように耐熱性繊維からなる一対の多孔質シート間にケイ酸成分粒子やアルミノケイ酸成分粒子とＰｔ粉末とを含有する粉末とを介在させたシートや、一対の通気性多孔質シートどうしをシリカゾルやアルミナゾルを主成分とする接着剤により一体成形したフィルタが使用されている。
【０００４】
しかしながら、フィルターとしての寿命が短いばかりでなく、粉体を取り扱う関係上、特定の形状に整形しようとすると、粉体が脱落するための通気性フィルムで被覆する必要があり、製造に手間がかかると言う問題がある。
【先行技術文献】
【特許文献】
【０００５】
【特許文献１】特開２００４−４５３２４号公報
【発明の概要】
【発明が解決しようとする課題】
【０００６】
本発明は、このような問題に鑑みてなされたものであってその目的とするところは寿命が長く、また製造が容易な分析装置用シロキサン除去フィルターを提供することである。
【課題を解決するための手段】
【０００７】
このような課題を達成するために本発明は、塩化白金もしくは塩化鉄、又は塩化白金と塩化鉄との混合物を含むシリカゾルを通気性吸水部材又は予め所定の形状に整形された通気性吸水部材に含浸させ、水分を乾燥させた。
【発明の効果】
【０００８】
シリカゾル単独よりもシロキサンの除去能力（寿命）を大幅に向上させることができる。
また、予め整形したフィルタ構成部材に四塩化白金を含有するシリカゾルを含浸させるため、粉体よりも均等、かつ深部まで浸透させることができ、粉体の脱落を防止できる。
【図面の簡単な説明】
【０００９】
【図１】フィルタの一例を示す図。
【図２】本発明のフィルタのシロキサンの除去能力の一例を示す線図。
【発明を実施するための形態】
【００１０】
シリカの所定の濃度、望ましくは２０ｗｔ％のシリカゾル（シリカの水分散液）に塩化白金もしくは塩化鉄、又は塩化白金と塩化鉄との混合物を乾燥シリカに対してそれぞれ１．５〜１２ｗｔ％、となるように溶解させて溶液を調製する。
【００１１】
なお、塩化白金もしくは塩化鉄、又は塩化白金と塩化鉄との混合物の濃度は乾燥シリカに対してそれぞれ３．０ｗｔ％にするのが望ましい。すなわち濃度が低い場合は寿命が短く、また高い場合は溶液の粘度が高くなり過ぎて十分に浸透させることが困難となる。
【００１２】
フィルタを装着する分析装置のガス取り入れ口の形状に成形した通気性を有するセルロース材やポリエチレン/ポリプロピレン等の高分子材のフィルタ素材からなる通気性を有する成形体、たとえば図１に示したような一端に開口１、他端に底部２を備えた筒状体３となるように整形した成形体４を上記溶液に浸漬して溶液を十分に浸透させ、乾燥により水分を除去する。
【００１３】
このように必要成分を液状にして上記成形体に含浸させるので、通気孔に成分が容易に浸透するとともに、水分を蒸発させるという操作だけなので無用な外力が作用せず粉体となった成分の脱落を可及的に防止できる。
【００１４】
さらに塩化白金もしくは塩化鉄、又は塩化白金と塩化鉄との混合物が担持されているため、シリカを単独でフィルタとして使用する場合よりも図２に示したようにシロキサンの除去能力（寿命）が大幅に向上する。
【００１５】
すなわち図２において線Ａはフィルタ無し、線Ｂはシリカゾルだけを含浸させた場合、及び線Ｃはシリカゾルの量は線Ｂと同一で塩化鉄を乾燥シリカに対して３．０ｗｔ％混合して作成した上述のフィルタを使用してシロキサン（オクタメチルシクロテトラシロキサンとデカメチルシクロペンタシロキサンとの混合物）を２０ｐｐｍ含む濃度５０％ＬＥＬのメタンを測定した検出値を示すものである。
【００１６】
なお、塩化鉄に代えて塩化白金、もしくは塩化白金と塩化鉄との混合物を乾燥シリカに対して３．０ｗｔ％混合して作成した場合も同様の性能を示した。
【００１７】
なお、上述の実施例においては予め立体形状に成形したものに溶液を含浸させる場合について説明したが、成形前のフィルタ素材に溶液を含浸させて必要な形状に切断、成形してもシロキサンの除去能力を有することは明らかである。
すなわち溶液をフィルタ素材に含浸させるため、フィルタ素材との結合強度が大きくなり剥離、脱落を防止できる。
【図１】
0006478404.tif 000002
【図２】
0006478404.tif 000003
(57)【特許請求の範囲】
【請求項１】
イオノゲン性ゲル化によって有機被覆で覆われた基材から有機被覆を除去するための方法において、湿潤した有機被覆、又は乾燥しているがまだ基材上で皮膜化はしていない有機被覆を、元素周期表の第一主族の金属塩の水溶液、錯形成剤の水溶液、又はＮａＯＨ、ＫＯＨ及び／又はＮＨ３から選択された塩基性化合物の水溶液のいずれかで処理し、その際、前記水溶液の濃度は２０質量％〜４５質量％であることを特徴とする前記方法。
【請求項２】
請求項１に記載の方法において、浸漬法、又は噴霧法によって除去を行うことを特徴とする前記方法。
【請求項３】
請求項１に記載の方法において、Ｎａ及びＫのうち少なくとも１種の金属塩の水溶液を使用することを特徴とする前記方法。
【請求項４】
請求項１に記載の方法において、錯形成剤が、エチレンジアミン四酢酸及び／又はポリエチレンイミンを使用することを特徴とする前記方法。
【請求項５】
請求項１から４までに記載の方法において、湿潤性皮膜を除去することを特徴とする前記方法。
【請求項６】
請求項１から５までに記載の方法において、除去する被覆の厚さが１μｍ〜１００μｍであることを特徴とする前記方法。
【請求項７】
請求項１から６までに記載の方法において、有機被覆除去後の基材を、再度被覆に使用することを特徴とする前記方法。
【請求項８】
請求項７に記載の方法において、得られた基材を再度被覆する前に、前処理を実施することを特徴とする前記方法。
【発明の詳細な説明】
【技術分野】
【０００１】
本発明は、イオノゲン性ゲル化によって有機被覆がコーティングされた基材から有機被覆を除去する方法、及び基材の再利用、並びに任意で、剥離させた被覆の再利用に関する。
【０００２】
現在では、浸漬被覆した基材の（複数の）析出コーティング層を焼付け前に除去することは経済的ではない、若しくは実現困難である。被覆された瑕疵のある基材は、たいていは廃棄処理するか、コストのかかるプロセスで後加工しなくてはならない。ＤＥ１０２０１３２０１９６６Ａ１の文献から、金属表面を被覆するための新規方法及びそのために使用する被覆系が公知であり、これによれば、皮膜形成ポリマーからの分散液及び陰イオン性高分子電解液が、金属表面から溶出したカチオンによるイオノゲン性ゲルの形態で析出される。前記文献は、内容として全面的に本願の構成要素になるべきである。そこに記載されている被覆系は、本願の意味合いでは、汎用ディップコート（Ｕｎｉｖｅｒｓａｌ  Ｄｉｐ  Ｃｏａｔｓ）と称される。
【０００３】
本発明は、イオノゲン性ゲル化によって作製された有機被覆を、様々な化学物質によって（選択的に浸漬又は噴霧工程によって）基材表面から再度除去すること、及び再び被覆するために、基材を再び一連のプロセスに組み込むことを可能にする方法を記載するという課題を設定した。
【０００４】
本発明によると、イオノゲン性ゲル化によって有機被覆で覆われた基材を除去するための方法を実施し、この方法では、湿潤性有機被覆、又は乾燥しているがまだ基材上で皮膜化はしていない有機被覆を、元素周期表の第一主族の金属塩の水溶液、錯形成剤、及び/又はｐＨ値が１０超の塩基性化合物で処理する。
【０００５】
好適には浸漬法、又は噴霧法によって除去を行う。
【０００６】
好適には、元素Ｌｉ、Ｎａ、及びＫのうち少なくとも１種の金属塩の水溶液、並びに好ましくはＮａ及びＫのうち少なくとも１種の金属塩の水溶液を使用する。
【０００７】
これに対して代替的には、鉄、亜鉛、マグネシウム及びアルミニウムと強度の錯体化を引き起こす錯形成剤、好ましくはＥＤＴＡ及び／又はポリエチレンイミンを使用する。
【０００８】
さらなる変法としては、塩基性化合物として、ＮａＯＨ、ＫＯＨ、及び／又はＮＨ３の水溶液を使用する。
【０００９】
除去する被覆の厚さは、数ｎｍ〜数μｍであってよい。しかしながら、除去する被覆の厚さは、好ましくは１μｍ〜１００μｍ、特に好ましくは５μｍ〜３５μｍである。特殊な場合、例えばプロセスが停止した場合、若しくは金属イオンによって浸漬槽が汚染された場合は、槽全体及び／又は詰まったパイプラインを洗浄してもよい。
【００１０】
使用する溶液の濃度は少なくとも５質量％である。しかしながら、好ましくは１０質量％〜７０質量％の濃度を使用する。２０質量％〜４５質量％の範囲が特に好ましい。使用する物質は水性調製物に対して任意の比率で一緒に含まれていてよい。
【００１１】
特に好ましくは、湿潤性皮膜を除去する。
【００１２】
本発明は、イオノゲン性ゲル被覆を除去した後の基材が、再び被覆するために使用可能であることにも関する。
【００１３】
好ましくは、得られた基材を再び被覆する前に、アルカリ洗浄によって前処理を行う。
【００１４】
さらに、本発明による方法は、剥離させた被覆の後処理を可能にするという利点を有する。得られた分散液を再びイオノゲン性ゲル析出のために、金属表面上で使用することができる。剥離、及び溶解した被覆の再利用は、濃縮及び／又は中和によって補助されてよい。得られた洗浄溶液は、新たな調製物のため、又は既に存在する容器のために使用してよい。
【００１５】
下記に３つの実施例を用いて本発明をより詳細に説明するが、このことによって本発明がこれら実施例に制限されることはない。
【００１６】
実施例１
塩基
・ＮａＯＨ  １０％
・ＫＯＨ  １０％
・ＮＨ３  １５〜２５％。
【００１７】
実施例２
競合する金属イオン
・ＫＣｌ
・ＮａＣｌ
・Ｋ２ＣＯ３  １０％
・Ｎａ２ＣＯ３  １０％
・Ｋ２ＳＯ４  １０％。
【００１８】
実施例３
錯形成剤
・Ｌｕｐａｓｏｌ  Ｇ２０  １５％
・Ｌｕｐａｓｏｌ  ＦＧ  １５％
・ＥＤＴＡ（エチレンジアミン四酢酸）。
【００１９】
実施例に記載した物質は、記載した質量パーセントで水性調製物中に添加する。引き続き、有機被覆によって、イオノゲン性ゲル化という意味合いで被覆されている基材を、被覆が溶解、又は剥離するまで、作製した溶液に浸漬し、任意で軽く振とうさせる。
(57)【特許請求の範囲】
【請求項１】
額縁（１００）の内部に、円筒状の基板（１０３）を設け、額縁（１００）の底板（１０６）に対して直立する基板（１０３）の内面及び外面にＬＥＤ（１０４，１０５）を複数取り付けて、前記ＬＥＤ（１０４，１０５）から出射された放射状の光（１０７，１０８）が底板（１０６）に対して平行になるようにするとともに、前記内面のＬＥＤ（１０４）を光（１０７）が中央１０７に集中するように配置したこと、
を特徴とする照明付額縁。
【請求項２】
前記基板（１０３）を同心状に複数重ねたことを特徴とする請求項１に記載の照明付額縁。
【請求項３】
額縁（１００）をアクリルもしくは光（１０８）を通す素材で作る事により、光（１０８）が額縁及び額裏壁まで光（１０８）が出るように構成したことを特徴とする請求項１又は２に記載の照明付額縁。
【請求項４】
ＬＥＤ（１０４，１０５）が、光色を変化させることが可能なものであることを特徴とするある請求項１〜３のいずれかに記載の照明付額縁。
【請求項５】
前記光色の変化が、白色から昼光色であることを特徴とする請求項４に記載の照明付額縁。
【発明の詳細な説明】
【技術分野】
【０００１】  本発明は、照明付きの額縁に関する。
【背景技術】
【０００２】額縁の中に照明を入れバックライトとして作品を均等に照らす方法としては、作品の裏に、ＬＥＤを並べて照明する方法があるが、欠点としてはＬＥＤの光の点が出てくる。そこで額縁内にＬＥＤを取付け中心に向かって照らす方法［図１］（参照：実用新案登録第３１３９９７９号公報）があった。
ただこの方法は、額が大きくなると光が中央に届きにくい欠点がある。
他には導光板にＬＥＤを取付けて均等に照らす方法などがある。
しかし作品（ポスター、絵、写真、切り絵等）でモチーフが和的ものや、癒し的なもの、カットグラス、ステンドグラスの効果を組み合わせた光のアート的作品の中には均等な照明では少し違和感がでる場合がある。
これは一般に作品の入った額の照明はスポット照明を行うことが多く、この場合一般に中央の部分が一番明るく外側ほど暗いといった不均等な照明となる事が考えられ、このため作品全体が太陽の木漏れ日に照らされた雰囲気も醸しだす。
この様な雰囲気を額縁の中に照明を入れたバックライトで醸しだせないかを考える。
【先行技術文献】
【特許文献】
【０００３】
【特許文献１】  実用新案登録第３１３９９７９号公報
【発明の概要】
【発明が解決しようとする課題】
【０００４】  同じ雰囲気を出すためにはバックライトの光を均一でなく、中央一番明るく外に向かって放射状に光を出す必要がある。それには光が周りに広がる太陽（夕日）の様な光。電球、ロウソクのような光を額縁内に再現で出来れば良いと考える。
この場合、白熱球［図２］の光源が最も良いが、作品裏の近くで点灯すると中央部分の光や熱が強すぎる。また作品裏から距離を置くと額全体が巨大化する。
また球の寿命が短く、消費電力も大きい。更に蛍光灯は、水銀問題があり世界会議で製造禁止が決定。
ではＬＥＤの単発光を作品裏の中央に設置してはどうか、この場合ＬＥＤの光には指向性があり中央部分がまぶしく額縁のすみずみに光が到達しない。
また従来の額縁構造では光が額縁の外まで出てこないため、スポットの照明の雰囲気が出てこない。そこでそれらを克服した照明［図３］を考える。
【課題を解決するための手段】
【０００５】
［図３］額縁１００の内部に、円筒状の基板１０３の内面にＬＥＤ１０４を、外面にＬＥＤ１０５を取付け設置する。この場合、ＬＥＤは底板１０６に対して垂直（放射される光の方向は底板１０６と平行）になるためＬＥＤ１０４，１０５の光が直接前面に出てこない。内面のＬＥＤ１０４の光１０７は中央１０７に集中するので一番中央が一番明るい状態を作る事が出来る。同時に外面に配置したＬＥＤ１０５の光１０８は、外側に放射状に光１０８を発する事によりＬＥＤ１０５から距離が遠くなるほど暗くなる。また額の大きさに合わせて筒状の基板の大きさを変える事や、図４の様に２重、３重に増設する事もでき大型の作品にも対応できる。額全体１００をアクリルもしくは光を通す素材で作る事により、光１０８が額縁及び額裏壁まで光が出る。これにより正面からスポット照明を当てた様な温かい雰囲気を出す事が出来る。ＬＥＤ１０４，１０５の光色を、白色から昼光色に変化出来るようにすれば、同じ風景等の作品でも昼のイメージから夜のイメージに変化する事が出来る。ＬＥＤ１０４，１０５の光色を、カラーコントロール出来るようにすれば、同じアート作品が、違った作品として味合う事が出来る。
【発明を実施するための最良の形態】
【０００６】
［図３］額縁１００の内部に、筒状の基板１０３にＬＥＤ１０４，１０５を内面と外面（内面のＬＥＤ１０４、外面のＬＥＤ１０５）に取付け設置する。この場合、ＬＥＤ１０４，１０５は底板１０６に対して垂直（放射される光の方向は底板１０６と平行）になるためＬＥＤ１０４，１０５の光が直接前面に出てこない。内面の光１０７は中央に集中するので一番中央が一番明るい状態を作る事が出来る。同時に外面に配置したＬＥＤ１０５の光は、外側に放射状に光１０８を発する事によりＬＥＤ１０５から距離が遠くなるほど暗くなる。また額の大きさに合わせて筒状の基板１０３の大きさを変える事や、図４の様に２重、３重に増設する事もでき大型の作品にも対応できる。額全体１００をアクリルもしくは光を通す素材で作る事により、光１０８が額縁及び額裏壁まで光が出る。これにより正面からスポット照明を当てた様な温かい雰囲気を出す事が出来る。ＬＥＤ１０４，１０５の光色を、白色から昼光色に変化出来るようにすれば、同じ風景等の作品でも昼のイメージから夜のイメージに変化する事が出来る。ＬＥＤ１０４，１０５の光色を、カラーコントロール出来るようにすれば、同じアート作品が、違った作品として味合う事が出来る。
【図面の簡単な説明】
【０００７】
【図１】  従来の額縁照明。
【図２】  電球を使った場合。
【図３】  円筒型基板を使った場合。
【図４】  大型作品に対応する方法。２重、３重の多重基板。
【符号の説明】
【０００８】１００      額縁
１０１      作品（ポスター、絵、写真、切り絵等）
１０２      バックライトボックス
１０３      基板
１０４      ＬＥＤ素子
１０５      ＬＥＤ素子
１０６      底板
１０７      中央に集まる光
１０８      額縁外へ拡散する光
【図１】
0006566570.tif 000002
【図２】
0006566570.tif 000003
【図３】
0006566570.tif 000004
【図４】
0006566570.tif 000005
(57)【特許請求の範囲】
【請求項１】
ゴムで作られた袋状のポンプ（１）とドレン（３）と空気抜き弁（５）とを設けた空気留め（４）と、
前記空気留め（４）から第１の方向へのび、第２の方向へ直角に折り曲げられ、前記ポンプ（１）と前記空気留め（４）とを接続する配管（２）と、
吸盤状の吸い取り口（１２）と、
前記空気留め（４）から第１の方向の反対方向へのび，第２の方向に直角にのび、
前記吸盤状の吸い取り口（１２）と前記空気留め（４）とを接続する吸い取り用配管（９）と、
前記空気留め（４）と前記吸い取り用配管（９）との接続部に設けられた逆上弁（１４）と、
前記吸い取り用配管（９）とは独立して、前記空気留め（４）から第１の方向の反対方向にのび、第２の方向へ直角にのび、前記吸盤状の吸い取り口（１２）の近くで回転自由に取り付けられている掻取器（８）を有する事を特徴とするピンポイント卓上ピンポイント掃除器。
【発明の詳細な説明】
【技術分野】
【０００１】本明は卓上ピンポイント掃除器に関する
【背景技術】
【０００２】本発明は、卓上ピンポイント掃除器はポンプの位置を空気吸い溜まりに直角の位置に設置することで容易にゴミが吸い取れ吸い上げ口が広角で本体より直下にある為にゴミの落下の空気袋が取りはずせ、洗うことができる卓上ピンポイント掃除器。
【先行技術文献】
【特許文献】
【０００３】
【特許文献１】実開Ｓ５１−６８４６３
【特許文献２】特開２００３−３３９５８１
【発明の概要】
【発明が解決しようとする課題】
【０００４】従来の小型掃除器はゴム容体が全体が平行に接続されている為扱いづらく吸い込み口が直接接続されている為に平行でゴミが吸い取りにくい構造である。
【課題を解決するための手段】
【０００５】ゴムで作られた袋状のポンプとドレンと空気抜き弁とを設置した空気溜めと吸盤状の吸い取り口を有し、前記ポンプには配管口によって空気溜めに接続させてあり、吸い取り口は配管口によって空気溜めに接続されるとともに、該接口には逆上弁を有することを特徴とする卓上ピンポイント掃除器。
【発明の効果】
【０００６】本発明は吸い上げ空気袋が直角に下にある為にピストル型のように容易に手で扱い易く吸い口も広角で吸い上げ易く掻き取り器を有するのでゴミを集めて、吸い上げが可能となる。
【図面の簡単な説明】
【０００６】
【図１】本発明の全体構成集塵
【図２】消しゴムかす、食べこぼしを集塵するゴム板
【発明を実施するための形態】
【０００７】ポンプ１は  硬質ゴムで作られた、掴み易く突起の付いた袋状の構造である。
配管２は  掻き取り硬化ゴムに接続する硬化ビニール管である。
ドレン３は  ゴム袋で作られたゴミ袋である。
空気袋４は  硬化ビニールで球体で構成
弁機柄５は  硬化ビニールを網目状にした空気の俳出口弁機柄
空気止め６は  硬化ビニール板で空気の流れを下方に落とす逆
ドレン７は  掻き取りゴムと硬化ビニール管を接合する穴
ドレン８は  掻き取る為の硬化ゴム
配管９は  硬化ビニール管でゴミを吸い取る管
受け止め口１０は  球体の硬化ビニールを接続し、取りはずし可能な取付部分
空気袋１１は  球体の中の空気溜まり
配管先１２は  吸盤状の硬化ビニール口
接合部分１３は  硬化ビニール板  空気流入の落下させる接合部分
空気止め１４は  硬化ビニール板で空気の流入を落下させる逆上弁
受け止め口１５は  ポンプと配管の接続口
【実施例】
【０００８】本発明は簡易な原理で、硬質ゴムの空気袋をポンプアップしてゴミを吸い取り、硬質ビニール板により、ゴミの逆流を防止して、直下のゴミ溜として、硬質ゴムの空気袋を取り付けて、ゴミ溜を取りはずしができて洗う事ができる。
【符号の説明】
【０００９】１  突起つき硬質ゴムの空気袋
２  ビニール管
３  硬質ゴムのゴミ取り空気袋
４  硬質ビニール製の空気袋
５  空気の俳出口  弁機・柄
６  硬化ビニール板
７  ゴミの掃き取りゴムとビニール管を通す穴接合部分回転自由
８  ゴムの掃き取り板
９  ビニール管
１０  本体の硬化ビニールと硬化ゴムの空気袋との接続部分
１１  内部空気
１２  ゴミの吸い取り口吸盤状のハの字型の吸い込み口
１３  接合部分
１４  逆止弁
１５  ポンプと配管の接続口
【図１】
0006566332.tif 000002
【図２】
0006566332.tif 000003
(57)【特許請求の範囲】
【請求項１】
通気性の高い素材からなる長形状のネット状シートを長さ方向に平行に三つ折りし、その端部を重ね合わせ部とし、適宜長さで縫着で封止し仕切り、複数の収納部を形成し、この重ね合わせ部を開口部として出し入れする収納袋であり、さらに収納袋の両側部全長にわたって収納部の内側に向けて断面山形状に折曲された側部ガゼットを形成した根菜類の個別収納袋。
【発明の詳細な説明】
【技術分野】
【０００１】  本発明は、玉ねぎ等の根菜類の長期保存を図る個別保存袋に関するものである。
【背景技術】
【０００２】  従来は、多数の根菜類を一つの袋にまとめて入れて保存していた。
【発明の概要】
【発明が解決しようとする課題】
【０００３】  従来、玉ねぎ等の根菜類は一つの袋にまとめて保存していた為、多数の根菜類どうしが接触してこすれたり、ぶつかりあって傷みが発生し、腐り易かった。【０００４】  本発明は、従来の問題を解決しようとするものであり、玉ねぎ等の根菜類を個々に保存し、長期の保存を図ることを目的とするものである。
【課題を解決するための手段】
【０００５】本発明は、上記の目的を達成する為に、通気性の高い素材からなる、長形状のネット状シートを長さ方向に平行に三つ折りしその端部を重ね合わせ部とし、適宜長さで封止し仕切り複数の収納部を設け、この収納部に根菜類を個々に収納し、この重ね合わせ部を開口部として出し入れする根菜類の個別収納袋である。
【発明の効果】
【０００６】  従来、玉ねぎ等の根菜類は、一つの袋にまとめて保存していた為、根菜類どうしが接触してこすれたりぶつかりあったりして傷みが発生していた。又、根菜類にかかる全体の重みにより傷みが発生し腐り易かったが、多くの根菜類を個々に収納保存することによっても、傷みや腐敗の発生を軽減することができる。【０００７】  玉ねぎ等の根菜類の出し入れを容易にし、かつ虫や外部からの汚れの付着を防ぎ、個々の玉ねぎ等の根菜類が落下したり、とび出したりしないように重ね合わせた開口部を多く設け、さらに収納袋の両側部全長にわたって収納部の内側に向けて断面山形状に折曲された側部ガゼットを形成し、収納力をアップさせるとともに根菜類の出し入れも容易にすることができる。【０００８】  また、保存袋に根菜類を個々に縦列状に収納され、ベランダ等で吊るして保存することにより、長期保存し易くなるとともに根菜類の収納場所が適宜選定され従来保存に用いられていた冷蔵庫、ケース、箱等が新たな収納場所となり収納スペースの有効利用を図ることができる。
【図面の簡単な説明】
【０００９】
【図１】本発明に係る個別保存袋の正面状態を示す略示図
【図２】同じく断面図
【図３】同じく玉ねぎの収納状態を示す略示図
【発明を実施するための形態】
【００１０】  以下、本発明の実施の形態を図１〜図３に基づいて説明する。
【００１１】図においては、個別収納袋は通気性の高いネット状シート１で形成され、この長形状のシート１を長さ方向に平行に三つ折りし、その端部を開口部２を有する重ね合わせ部とし、適宜長さで縫着で封止３して仕切り、複数の収納部４を形成し、重ね合わせ部を開口部２として、じゃがいも、玉ねぎ、里芋等の根菜類を出し入れするものである。
【００１２】  玉ねぎ等の根菜類の出し入れを容易にし、かつ虫や外部からの汚れの付着を防ぎ、個々の玉ねぎ等の根菜類が落下したり、とび出したりしないように重ね合わせた開口部２を多く設け、さらに収納袋の両側部全長にわたって収納部の内側に向けて断面山形状に折曲された側部ガゼット５を形成し、収納力をアップさせる。
【００１３】  特に玉ねぎ等の保存に注意を払う必要がある根菜類は、雨と直射日光の当たらない風通しのよい場所で吊るして保存するのが基本である為、個別収納袋の上部開口部６に紐通し部７を設け、紐の先端部８を処理しベランダ等で吊るして保存することが可能となる。玉ねぎ等の根菜類を縦列状に収納し、個々別々に保存することにより長期保存し易くなり、従来保存に用いられていた冷蔵庫等が新たな収納場所となり収納スペースの有効利用を図ることができる。
【００１４】  本発明は、通気性素材としてネットで説明したが、これに限らず、通気性をもつ布地を用いたり、さらに収納部を形成する仕切りを開口部から下方に向けて傾斜状に形成して、収納された玉ねぎ等の根菜類がみだりに落下することを防ぐものでもよい。
【符号の説明】
【００１５】  １．  ネット状シート
２．  重ね合わせ部開口部
３．  封止
４．  収納部
５．  側部ガゼット
６．  上部開口部
７．  紐通し部
８．  紐
【図１】
0006464330.tif 000002
【図２】
0006464330.tif 000003
【図３】
0006464330.tif 000004
(57)【特許請求の範囲】
【請求項１】
湾曲している弾性支持体の両端部に、押圧パッドを備えていることを特徴とする首の筋緊張異常症改善用装具。
【請求項２】
前記弾性支持体が、首部外周に対応した半円状またはＵ字状に湾曲していることを特徴とする請求項１記載の装具。
【請求項３】
前記押圧パッドが、少なくとも弾性支持体の各端部に１個ずつ、計２個備えられていることを特徴とする請求項１又は２記載の装具。
【請求項４】
前記弾性支持体の両端部における押圧パッドの間隔が８〜１１ｃｍであることを特徴とする請求項１〜３の何れか１項記載の装具。
【発明の詳細な説明】
【技術分野】
【０００１】
本発明は、首の筋緊張異常症改善用装具に関する。
【背景技術】
【０００２】
従来、首の筋緊張異常症の一種である痙性斜頸（頸部ジストニア）の改善用装具としては、ハンガー反射を利用した、頭部に捲いて装着使用する楕円形の弾性装具が既に知られている（例えば、特許文献１参照）。
【０００３】
しかしながら、斯かる従来の楕円形の弾性装具は、楕円形状の頭部に適合する位置に捲いて装着した後、装着したまま回転させることで、頭部と装具との間にひずみを生じさせることにより、回転前より強く圧迫される圧迫部と、回転させる前より弱く圧迫されるゆとり部とを生じせしめ、これにより所定箇所のみを圧迫するものであったため、取り扱い操作性に難があると云う問題があり、より簡便で、しかも改善効率に優れた装具が望まれていたのが実状であった。
【先行技術文献】
【特許文献】
【０００４】
【特許文献１】特開２０１１−１４７７４９号公報
【発明の概要】
【発明が解決しようとする課題】
【０００５】
本発明は、上記の如き従来の問題と実状に鑑みてなされたものであり、取り扱い操作が簡便で、しかも筋緊張異常症の改善効率に優れた装具を提供することを課題としている。
【課題を解決するための手段】
【０００６】
本発明者は、上記の課題を解決すべく鋭意研究を重ねた結果、顔や首の適宜部位に触れると、痙性斜頸の症状が改善される現象（感覚トリック）が知られているが、これを応用し、頭部ではなく首部を軽く挾持圧迫すれば、簡便かつ効率良く筋緊張異常症を改善し得ることを見い出し、本発明を完成した。
【０００７】
すなわち、本発明は、湾曲している弾性支持体の両端部に、押圧パッドを備えていることを特徴とする首の筋緊張異常症改善用装具により上記課題を解決したものである。
【発明の効果】
【０００８】
本発明装具を用いれば、弾性支持体の弾性を利用してその両端部に付設された押圧パッドで首部を容易に挾持することができると共に、その挾持により首部に適度な圧迫作用が得られ、それにより筋緊張異常症を効率良く改善することができる。
その結果、筋緊張異常症に起因する肩こりや首こり、あるいは首の震え（振戦）を解消し、さらにはゴルフなどのスポーツにおける左右の首の筋肉緊張の不均衡を是正することができる。
【図面の簡単な説明】
【０００９】
【図１】本発明装具の概略正面説明図。
【発明を実施するための形態】
【００１０】
以下、本発明の実施の形態を図面と共に説明する。
【００１１】
図１において、１０は弾性支持体で、首部に装着し易いように、首部外周に対応した半円状またはＵ字状に湾曲している。この弾性支持体１０は、その両端部を拡開した場合、適度の復元力、換言すれば痛みが生じない程度に軽く圧迫する程度の復元力を奏する弾性を有するものであれば、特にその材質は金属、合成樹脂等その如何を問わない。また、この弾性支持体１０は、棒状タイプ、板状タイプ等その形態の如何も問わない。
【００１２】
この弾性支持体１０の両端部には、押圧パッド２０が付設されている。この押圧パッド２０の付設数は特に制限されないが、少なくとも弾性支持体１０の各端部に１個ずつ、計２個付設するのが、首部を二方向から挾持圧迫する上で望ましい。この場合、弾性支持体１０の両端部における押圧パッド２０の間隔を８〜１１ｃｍ程度とするのが、ほぼ老若男女の首の太さに対応し得ると共に、挾持時に適度な圧迫作用を得る上で望ましい。この押圧パッド２０の形態は、半球タイプ、直方体タイプ等その如何を問わない。またその厚みは１〜３ｃｍ程度、その最長部は２〜５ｃｍ程度とするのが、適度な圧迫作用を得る上で望ましい。尚、押圧パッド２０の材質も金属、合成樹脂等その如何を問わないが、首部に当接される面にはある程度クッション性を有する素材を用いるのが肌触りの点で望ましい。
【符号の説明】
【００１３】
１０：弾性支持体
２０：押圧パッド
【図１】
0006573390.tif 000002
(57)【特許請求の範囲】
【請求項１】
少なくとも一方の面に開口部を有する筺体本体と、前記筺体本体内部に受配電機器が収納され、前記開口部に取外し可能に筺体蓋を有する筺体と、
前記筺体内に収納されている受配電機器と電気的に接続される母線を備えた配電盤において、
前記母線は前記受配電機器に対して垂直方向及び水平方向に配設する垂直母線及び水平母線からなり、前記各母線は母線導体をそれぞれ備え、各母線導体は一端部が凸状部に形成され、且つ他端部は凹状部に形成され、前記凸状部及び前記凹状部に別の母線導体に形成されている凹状部及び凸状部が挿抜可能で、これにより複数の母線導体が電気的に接離可能となっており、前記母線導体のうち前記水平母線導体は前記水平母線導体とは絶縁され、且つ前記凸状部が外部に突出した状態で容器内に収納支持されていることを特徴とする配電盤。
【発明の詳細な説明】
【技術分野】
【０００１】
本発明の実施形態は、受配電機器を収納する配電盤例えば閉鎖配電盤、母線に関する。
【背景技術】
【０００２】
この閉鎖配電盤の一例として、増設する際にその都度設計するようにしたものがある。
【先行技術文献】
【特許文献】
【０００３】
【特許文献１】実用新案登録第３１６６２１３号公報
【発明の概要】
【発明が解決しようとする課題】
【０００４】
従来の閉鎖配電盤においては、増設の都度設計が行われており、また１フィーダのみの増設でも1面増設（2段積）となり、不要なスペースが生じていた。
【０００５】
本実施形態は、前述の問題を鑑みてなされたもので、閉鎖配電盤の構造を１フィーダずつのユニット化（ブロック式）とすることで、設計レス化、盤設置の計画簡略化、フィーダ増設の簡略化を可能にする配電盤を得ることができる。
【課題を解決するための手段】
【０００６】
本実施形態の代表例は、少なくとも一方の面に開口部を有する筺体本体と、前記筺体本体内部に受配電機器が収納され、前記開口部に取外し可能に筺体蓋を有する筺体と、前記筺体内に収納されている受配電機器と電気的に接続される母線を備えた配電盤において、前記母線は前記受配電機器に対して垂直方向及び水平方向に配設する垂直母線及び水平母線からなり、前記各母線は母線導体をそれぞれ備え、各母線導体は一端部が凸状部に形成され、且つ他端部は凹状部に形成され、前記凸状部及び前記凹状部に別の母線導体に形成されている凹状部及び凸状部が挿抜可能で、これにより複数の母線導体が電気的に接離可能となっており、前記母線導体のうち前記水平母線導体は前記水平母線導体とは絶縁された状態で容器内に収納支持されている配電盤である。
【０００７】
本実施形態によれば、１フィーダずつのユニット化（ブロック式）とすることで、設計レス化、盤設置の計画簡略化、フィーダ増設の簡略化を可能にすることができる。
【図面の簡単な説明】
【０００８】
【図１】本実施形態の概略構成を説明するための平面図。
【図２】図１のフィーダブロックを説明するための正面図。
【図３】図１の水平母線ブロックを説明するための正面図。
【図４】図１のＡ−Ａ線の矢示方向に見た側面図。
【図５】図１のＢ−Ｂ線の矢示方向に見た側面図。
【図６】図１のＣ−Ｃ線の矢示方向に見た側面図。
【図７】図４の1フィダーブロックを取り外した状態を示す側面図。
【図８】図５の1フィダーブロックを取り外した状態を示す側面図。
【図９】図６の1フィダーブロックを取り外した状態を示す側面図。
【発明を実施するための形態】
【０００９】
以下、実施の形態について、図１から図６を参照して説明する。本実施形態の制御盤例えば閉鎖配電盤は、少なくとも一方の面に開口部１ａを有する筺体本体１と、筺体本体１の内部に受配電機器例えば引出型真空開閉器２が収納され、開口部１ａに取外し可能に筺体蓋３を有する筺体４と、筺体４内に収納されている真空開閉器２と電気的に接続される母線５、６を備えている。
【００１０】
母線５、６は真空開閉器２に対してそれぞれ垂直方向及び水平方向に配設する垂直母線５及び水平母線６からなり、各母線５、６は母線導体７、８をそれぞれ備え、各母線導体７、８は一端部がそれぞれ凸状部７a、８aに形成され、且つ他端部は凹状部７b、８bに形成され、凸状部７a、８a及び凹状部７b、８bに別の母線導体に形成されている凹状部及び凸状部が挿抜可能で、これにより複数の母線導体が電気的に接離可能となっており、母線導体のうち水平母線導体６はこの水平母線導体とは絶縁され、且つ凸状部８aが外部に突出した状態で容器９内に収納支持されている。
【００１１】
水平母線６は筺体本体１の底面であって盤設置面の間に水平方向に配設されている。
【００１２】
垂直母線５は垂直母線５を構成する例えば三相分の母線導体７は真空開閉器２の背面側に垂直に配設されている。真空開閉器２の側面側に真空開閉器２の端子と負荷（図示しない）を電気的に接続するケーブル１０が配設されている。 
図７は１フィーダ分の構成、つまり増設しない状態を示す側面図であり、図８はその正面図であり、図９はその正面図である。
【００１３】
このように本実施形態は、ユニット化（ブロック化）した水平母線６と、ユニット化（ブロック化）した真空開閉器２及び垂直母線５を有するフィーダブロックとで構成したので、増設する際に設計レスとし、コストダウンが可能となり、盤配置計画の簡略化、フィーダ増設の簡略化が可能となる。
【００１４】
水平母線６は、母線導体８が容器９内に収納されているので、万一の事故例えば焼損時にもブロック単位で隔離されているため、他ブロックへの影響も防ぐことが可能となる。
【００１５】
１フィーダ増設する場合は水平母線６及び垂直母線５は、それぞれ有する母線導体７、８の凸状部と、それぞれ有する母線導体７、８の凹状部を、挿入するだけの作業で増設が可能となる。
【００１６】
本実施形態は、上記のような課題を解決するためになされたものであり、都度設計を設計レス化し、標準化ができる。また構造を1フィーダづつのブロック式としているため、１フィーダのみの増設も可能となる。また、母線挿入連結方式なので、簡易に増設できる。
【００１７】
前述の実施形態は、筺体蓋は筺体本体の開口部に取外し可能な構成の場合について説明したが、これにら限らなくてもよい。水平母線６は母線導体８が容器９内に収納された実施形態について説明したが、容器９に収納されないものでもよい。
【符号の説明】
【００１８】
１…筺体本体、２…真空開閉器、３…筺体本体蓋、４…筺体、５…垂直母線、６…水平母線、７、８…母線導体、９…容器、１０…ケーブル。
【図１】
0006515832.tif 000002
【図２】
0006515832.tif 000003
【図３】
0006515832.tif 000004
【図４】
0006515832.tif 000005
【図５】
0006515832.tif 000006
【図６】
0006515832.tif 000007
【図７】
0006515832.tif 000008
【図８】
0006515832.tif 000009
【図９】
0006515832.tif 000010
(57)【特許請求の範囲】
【請求項１】
支持筒と、
上下にディスプレイの上下枠にそれぞれ引っ掛ける引っ掛け部及び前記支持筒を
固定する保持部を備える支持筒ホルダーと、
前記支持筒に回動可能且つ上下動可能に支持される回動軸を備え、
前記支持筒は、前記支持筒ホルダーの保持部に固定されることで、ディスプレイ
の背面側に固定され、
前記回動軸の上端部に前記回動軸の軸方向に直交する方向に延びるアーム部を設
け、
前記アーム部の先端部にTVカメラ固定部を設けると共に、前記回動軸の下端部に
操作部を設け、
前記操作部により前記支持筒を介して前記回動軸を操作し前記TVカメラ固定部に
固定されたTVカメラをディスプレイ前面側又はディスプレイ背面側に自在に移動
できることを特徴とするTVカメラ取り付け器具。
【発明の詳細な説明】
【技術分野】
【０００１】
本発明は、ディスプレイにTVカメラを取り付ける、TVカメラ取付器具に関するものである。
【背景技術】
【０００２】
下記特許文献に記載されるTVカメラ取付器具はディスプレイと使用者との間にTVカメ
ラを配置することができ、ディスプレイの前方でTVカメラの位置を自在に変更できる。
【先行技術文献】
【特許文献】
【０００３】
【特許文献１】特開２００３−００００００号公法
【発明の概要】
【発明が解決しようとする課題】
【０００４】
しかし、上記特許文献の器具では、TVカメラが常にディスプレイの前方に在することとなり、
特に不使用時には邪魔となる、又不使用時には器具を取り外すとしても、その作業が煩雑
となる。
【課題を解決するための手段】
【０００５】
本発明に係るTVカメラ取付器具によれば、不使用時にはTVカメラをディスプレイの後方に
収納し、使用時にはTVカメラをディスプレイの前方における適切な位置に配することができ
る。
請求項１の発明に係るTVカメラ取付器具は、ディスプレイの背面に固定される支持筒と、該
支持筒に回動可能且つ上下動可能に支持される回動軸を備え、該回動軸の上端部に同回
動軸の軸方向と直行する方向に延びるアーム部を設け、該アーム部の先端部にTVカメラ固
定部を設けると共に、同回動軸の下端部に操作部を設け、該操作部を介して上記回動軸を
操作し上記TVカメラ固定部に固定されたTVカメラをディスプレイ前面側又はディスプレイ背
面側に自在に移動できる、
請求項２の発明に係るＴＶカメラ取付器具は、請求項１を前提として、ディスプレイの背面側
に固定される支持筒を固定する保持部を備え、上下にディスプレイの上下枠にそれぞれ引っ
掛ける、引っ掛け部を備える支持筒ホルダーを設けることを特徴とする。
【発明の効果】
【０００６】
不使用時にはＴＶカメラをディスプレイの背面側に隠して収納し、使用時にはＴＶカメラをディ
スプレイの前方における適切な位置に配する。
【図面の簡単な説明】
【０００７】
【図１】図１は、TVカメラ取付器具をディスプレイに取り付けた斜視図。
【図２】図２は、回動軸と、支持筒の斜視図。
【図３】図３は、（A)は支持筒ホルダーの斜視図、（B)は支持筒ホルダー保持部詳細図。
【発明を実施するための形態】
【０００８】
不使用時に邪魔になる、TVカメラをディスプレイ背面側に収納するという目的を、最小の部
品点数で、且つ部品の露出を抑えて実現した。
【実施例】
【０００９】
図１は、本発明に係るＴＶカメラ取付具をディスフレイに取り付けた斜視図である。図に示され
るように、ディスプレイの背面に固定される支持筒２と、該支持筒２に回動可能且つ上下動可能
に支持される回動軸１を備えていて、同回動軸１の下端部に操作部１−３があり、該操作部１−
３を介して上記回動軸１のＴＶカメラ部がディスプレイ上枠を通過できるまで、上記回動軸１を上
方に押し上げてからＴＶカメラ固定部１−１に固定されたＴＶカメラをディスプレイ前面側又はディ
スプレイ背面側に自在に移動できる。
【００１０】
図２は、回動軸１、支持筒２の斜視図である。ディスプレイの背後に固定される支持筒２と、該
支持筒２に回動可能且つ上下動可能に支持される回動軸１を備え、回動軸１の上端部に同回
動軸１の軸方向と直交する方向に延びるアーム部１−２を設け、該アーム部１−２の先端部は
適切な位置をえるために一段下がってＴＶカメラ固定部１−１を設けると共に、同回動軸１の下
端部に、回動軸１を手前に変形させて操作しやしくした操作部１−３を設けてある。
【００１１】
図３は、支持筒ホルダーの斜視図（Ａ）、部分詳細図（Ｂ）である。ディスプレイ上枠に引っ掛け
る第一引っ掛け部３−１、ディスプレイ下枠に引っ掛ける第二引っ掛け部３−２と、支持筒２を固
定させるための保持部３−３からなり、上記保持部３−３は、回動軸１が変形していて上か
ら入らないため、横から入れるように切り欠き、部分詳細図（Ｂ）を備えている。
【符号の説明】
【００１２】
1        回動軸
１−１    TVカメラ固定部、  
１−２    アーム部
１−３    操作部
２       支持筒
３       支持筒ホルダー
３−１    第一引っ掛け部
３−２    第二引っ掛け部
３−３    保持部
【図１】
0006617964.tif 000002
【図２】
0006617964.tif 000003
【図３】
0006617964.tif 000004
(57)【特許請求の範囲】
【請求項１】
蓋付き脱水受け容器とその内部に入れ子型のＵ字型の糠床容器を収納した糠床反転漬物容器であって、Ｕ字型の片方は漬け込み側、他方は取り出し側の開口部を有し、両開口部は長方形状であり、前記Ｕ字型の糠床容器は、仕切り板により一部仕切られており、糠床容器内部には糠床が充填されており、開口部の下方に一列に脱水孔を有する漬け込み側から糠と野菜を投入し、把っ手付き糠床押し込み板で押し込むことにより取り出し側に競り出した糠床より野菜・漬物を取り出し、糠床を循環使用できることを特徴とする、冷蔵庫用糠床反転漬物容器。
【発明の詳細な説明】
【技術分野】
【０００１】  この発明は、糠床反転漬物容器を恒温の家庭用冷蔵庫の野菜室（７〜１０℃）に収納出来るように小型化（縦１６ｃｍ、横（１６ｃｍ、奥行（３０ｃｍ位）にして、先に漬けた野菜から順番に糠床反転容器底で糠床と野菜を一緒に反転させ競り上がらせて取り出せる為、漬物の色・味の食べ頃の美味なものを食卓に簡単に提供可能とした。
【背景技術】
【０００２】  従来の糠床漬物容器は室内外にある為、糠床・漬物温度は夏期には３０℃、冬期は０℃位に変動し、漬かり具合が不安定で管理が難かしがった。
【発明の概容】
【発明が解決しようとする課題】
【０００３】これは次のような欠点があった。
（イ）糠床上部に野菜からの脱水溜り排水に、吸水布や水抜き、筒を用いて手間取ってた。
（ロ）糠床の嫌気性乳酸菌や、糠床上面の好気性白カビ活動抑制の為、定期的に糠床かき混ぜ作業は欠せないという問題点があった。
【先行技術文献】
【特許文献】
【特許文献】実用新案登録  第３２１２７２９号
【課題を解決する手段】
【０００４】  蓋（１）つき脱水受け容器（２）の中に、入れ子型のＵ字型の糠床反転漬物容器（３）を入れ、左右側面板の中央上部に仕切り板（４）を取り付け、一方の漬け込み側（１０）の中に糠床押し込板（５）を置き、他方は取り出し側（１１）とする。なお糠床上部の脱水溜りは脱水孔（６）より自然抽出し脱水受け容器（２）に一定量になれば、適宜糠床反転漬物容器（３）を取りはずして外部に排水する。
本発明は、以上の構成よりなる糠床循環使用する糠床反転漬物容器である。
【発明の効果】
【０００５】（イ）年間恒温の糠床・漬物温度が一定の為、漬かり具合が一定速度進行の為、管理が簡単で楽になる。
（ロ）漬物・野菜を取り出し、新野菜を漬け込む度に、糠床をほぐし嫌気性乳酸菌と空気を混ぜ漬け込み側に戻すのでほどよい酸ぱさとなり、好気性白カビも生え難くなり風味が増し、糠床かき混ぜ作業は不要となり、おいしい漬物が得られる。
【図面の簡単な説明】
【０００６】
【図１】糠床反転漬物容器の構成斜視図
【図２】糠床反転漬物容器詳細部分図
【図３】Ａ１−Ａ２断面図、糠床・野菜の反転様態図
【発明を実施するための形態】
【０００７】［図１］において、蓋（１）付きの透明プラスチック・脱水受け容器（２）の中に入れ子型のＵ字型の糠床反転漬物容器（３）を入れ、左右側面板の中央上部に仕切り板（４）を取り付け、一方の漬け込み側（１０）の中に、取っ手付き糠床押し込み板（５）を置き、他方は取り出し側（１１）とする。
【０００８】［図２］において、糠床押し込み板（５）は漬込み側（１０）の内法より、巾・長さは（１ｃｍ位）小さくする。又旅行等で長期不在のときは、取り出し側（１１）に白カビ防止用に糠床押し込み板（５）と同一寸法の落し蓋を用意しておくとよい。
【０００９】
0006617267.tif 000002
序で送られ、漬けることができる。
【符号の説明】
【００１０】  １  蓋
２  脱水受け容器
３  糠床反転漬物容器
４  仕切り板
５  糠床押込み板
６  脱水孔
７  野菜
８  糠床
９  脱水溜り
１０  漬け込み側
１１  取り出し側
【図１】
0006617267.tif 000003
【図２】
0006617267.tif 000004
【図３】
0006617267.tif 000005